(57)【要約】      （修正有）【課題】高い光学性能を維持しつつ、従来よりも小型のズームレンズ及びズームレンズを備えた撮像装置を提供する。【解決手段】少なくとも１枚のレンズ素子を含むレンズ群（Ｇ１〜Ｇ６）を複数備え、隣り合うレンズ群の間隔を変化させることで変倍するズームレンズであって、光学的絞りＳ位置よりも像側に、以下の条件式を満足する第ｎレンズ群を備える。１４．００≦｜（１−ｂｎｆｔ２）×ｂｎｂｔ２｜≦５０．００、式中、ｂｎｆｔは第ｎレンズ群の望遠端における無限遠合焦時の横倍率、ｂｎｂｔは第ｎレンズ群よりも像側に位置する全レンズ群の望遠端における無限遠合焦時の合成横倍率、とする。【選択図】図１
2020122822.tif 000002
【特許請求の範囲】
【請求項１】
少なくとも１枚のレンズ素子を含むレンズ群を複数備え、隣り合うレンズ群の間隔を変化させることで変倍するズームレンズであって、
光学的絞り位置よりも像側に、以下の条件式を満足する第ｎレンズ群を備えることを特徴とするズームレンズ。
１４．００  ≦  ｜（１−ｂｎｆｔ２）×ｂｎｂｔ２｜  ≦  ５０．００  ・・・（１）
但し、
ｂｎｆｔ：前記第ｎレンズ群の望遠端における無限遠合焦時の横倍率
ｂｎｂｔ：前記第ｎレンズ群よりも像側に位置する全レンズ群の望遠端における無限遠合焦時の合成横倍率
【請求項２】
前記光学的絞り位置よりも像側に少なくとも２つ以上のレンズ群を備える請求項１に記載のズームレンズ。
【請求項３】
前記光学的絞り位置よりも像側に、以下の条件式を満足する第ｍレンズ群を備える請求項１又は請求項２に記載のズームレンズ。
４．４０  ≦  ｜ｂｍｔ｜  ≦  ９．００  ・・・（２）
但し、
ｂｍｔ：前記第ｍレンズ群の望遠端における無限遠合焦時の横倍率
【請求項４】
物体側より順に、正の屈折力を有する第１レンズ群と、負の屈折力を有する第２レンズ群と、第３レンズ群と、第４レンズ群と、第５レンズ群を有する請求項１から請求項３のいずれか一項に記載のズームレンズ。
【請求項５】
以下の条件式を満足する請求項４に記載のズームレンズ。
０．１０  ≦  ｜ｆ４｜／√（ｆｗ×ｆｔ）  ≦  ０．６０  ・・・（３）
但し、
ｆ４：前記第４レンズ群の焦点距離
ｆｗ：広角端における当該ズームレンズの焦点距離
ｆｔ：望遠端における当該ズームレンズの焦点距離
【請求項６】
以下の条件式を満足する請求項４又は請求項５に記載のズームレンズ。
０．１０  ≦  ｜ｆ５｜／√（ｆｗ×ｆｔ）  ≦  ０．５０  ・・・（４）
但し、
ｆ５：前記第５レンズ群の焦点距離
ｆｗ：広角端における当該ズームレンズの焦点距離
ｆｔ：望遠端における当該ズームレンズの焦点距離
【請求項７】
前記第３レンズ群が正の屈折力を有し、前記第４レンズ群が正の屈折力を有し、前記第５レンズ群が負の屈折力を有し、前記第５レンズ群の像側に正の屈折力を有する第６レンズ群を有し、当該ズームレンズがこれらの６つのレンズ群から構成される請求項４から請求項６のいずれか一項に記載のズームレンズ。
【請求項８】
最も像面に近い位置に配置される最終レンズ群が広角端よりも望遠端において像側に位置する請求項１から請求項７のいずれか１項に記載のズームレンズ。
【請求項９】
請求項１から請求項８のいずれか一項に記載のズームレンズと、当該ズームレンズの像面側に設けられた、当該ズームレンズによって形成された光学像を電気的信号に変換する撮像素子とを備えたことを特徴とする撮像装置。
【発明の詳細な説明】
【技術分野】
【０００１】
本件発明は、フィルムカメラ、ビデオカメラ、デジタルスチルカメラなどの撮像光学系として好適なズームレンズ及び当該ズームレンズを備えた撮像装置に関する。
【背景技術】
【０００２】
近年、撮影したい画角に応じて焦点距離を変化させることのできるズームレンズは、コンパクトデジタルカメラ、ミラーレス一眼カメラ、一眼レフカメラ等の他、監視用カメラ等の種々の撮像装置の撮像光学系として用いられている。
【０００３】
例えば、特許文献１には、物体側から順に正の屈折力の第１レンズ群と、負の屈折力の第２レンズ群と、正の屈折力の第３レンズ群と、開口絞りと、正の屈折力の第４レンズ群と、負の屈折力の第５レンズ群と、正の屈折力の第６レンズ群とから構成され、広角端から望遠端への変倍に際し、第１レンズ群と第２レンズ群との間隔が増大し、第２レンズ群と第３レンズ群との間隔が縮小し、第３レンズ群が像側に移動するように構成されたズームレンズが提案されている。
【０００４】
また、特許文献２には、物体側から順に正の屈折力の第１レンズ群と、負の屈折力の第２レンズ群と、正の屈折力の第３レンズ群と、正の屈折力の第４レンズ群と、第５レンズ群とから構成され、変倍時に、広角端から望遠端への変倍に際し、最も像側のレンズ群は、像面に対して固定され、第１レンズ群を物体側へ移動させるようにしたズームレンズが提案されている。
【０００５】
さらに、特許文献３には、少なくとも１枚のレンズ素子で構成されたレンズ群を少なくとも５つ有し、物体側から像側へと順に正の屈折力の第１レンズ群と、負の屈折力の第２レンズ群とを有し、広角端から望遠端への変倍に際し、少なくとも第１レンズ群が像面に対して固定されるようにしたズームレンズが提案されている。
【先行技術文献】
【特許文献】
【０００６】
【特許文献１】特開２０１７−８３５６３号公報
【特許文献２】特許第６２６５０２２号公報
【特許文献３】国際公開第２０１３／１３６６９２号
【発明の概要】
【発明が解決しようとする課題】
【０００７】
しかしながら、上記いずれのズームレンズにおいても、開口絞りよりも像側に配置されたレンズ群のパワー配置の最適化が十分されていない。そのため、広角端における光学全長は短いものの、望遠端における光学全長が焦点距離に比して十分に短縮されておらず、ズームレンズの小型化が不十分であった。
【０００８】
そこで、本件発明の課題は、高い光学性能を維持しつつ、従来よりも小型のズームレンズ及び当該ズームレンズを備えた撮像装置を提供することにある。
【課題を解決するための手段】
【０００９】
上記課題を解決するために、本件発明に係るズームレンズは、少なくとも１枚のレンズ素子を含むレンズ群を複数備え、隣り合うレンズ群の間隔を変化させることで変倍するズームレンズであって、光学的絞り位置よりも像側に、以下の条件を満足する第ｎレンズ群を備えることを特徴とする。
１４．００  ≦  ｜（１−ｂｎｆｔ２）×ｂｎｂｔ２｜  ≦  ５０．００  ・・・（１）
但し、
ｂｎｆｔ：前記第ｎレンズ群の望遠端における無限遠合焦時の横倍率
ｂｎｂｔ：前記第ｎレンズ群よりも像側に位置する全レンズ群の望遠端における無限遠合焦時の合成横倍率
【００１０】
上記課題を解決するために、本件発明に係る撮像装置は、上記ズームレンズと、当該ズームレンズの像面側に設けられた、当該ズームレンズによって形成された光学像を電気的信号に変換する撮像素子とを備えたことを特徴とする。
【発明の効果】
【００１１】
本件発明によれば、高い光学性能を維持しつつ、従来よりも小型のズームレンズ及び当該ズームレンズを備えた撮像装置を提供することができる。
【図面の簡単な説明】
【００１２】
【図１】本件発明の実施例１のズームレンズの無限遠合焦時のレンズ構成例を示す断面図であり、上段は広角端状態、中段は中間焦点距離状態、下段は望遠端状態を示す（以下、レンズ断面図において同じ）。
【図２】実施例１のズームレンズの広角端における収差図である。
【図３】実施例１のズームレンズの中間焦点距離における収差図である。
【図４】実施例１のズームレンズの望遠端における収差図である。
【図５】実施例１のズームレンズの望遠端における無限遠合焦時の横収差図である。
【図６】本件発明の実施例２のズームレンズの無限遠合焦時のレンズ構成例を示す断面図である。
【図７】実施例２のズームレンズの広角端における収差図である。
【図８】実施例２のズームレンズの中間焦点距離における収差図である。
【図９】実施例２のズームレンズの望遠端における収差図である。
【図１０】実施例２のズームレンズの望遠端における無限遠合焦時の横収差図である。
【図１１】本件発明の実施例３のズームレンズの広角端の無限遠合焦時のレンズ構成例を示す断面図である。
【図１２】実施例３のズームレンズの広角端における収差図である。
【図１３】実施例３のズームレンズの中間焦点距離における収差図である。
【図１４】実施例３のズームレンズの望遠端における収差図である。
【図１５】実施例３のズームレンズの望遠端における無限遠合焦時の横収差図である。
【図１６】本件発明の実施例４のズームレンズの無限遠合焦時のレンズ構成例を示す断面図である。
【図１７】実施例４のズームレンズの広角端における収差図である。
【図１８】実施例４のズームレンズの中間焦点距離における収差図である。
【図１９】実施例４のズームレンズの望遠端における収差図である。
【図２０】実施例４のズームレンズの望遠端における無限遠合焦時の横収差図である。
【図２１】本件発明の実施例５のズームレンズの無限遠合焦時のレンズ構成例を示す断面図である。
【図２２】実施例５のズームレンズの広角端における収差図である。
【図２３】実施例５のズームレンズの中間焦点距離における収差図である。
【図２４】実施例５のズームレンズの望遠端における収差図である。
【図２５】実施例５のズームレンズの望遠端における無限遠合焦時の横収差図である。
【図２６】本件発明の実施例６のズームレンズの無限遠合焦時のレンズ構成例を示す断面図である。
【図２７】実施例６のズームレンズの広角端における収差図である。
【図２８】実施例６のズームレンズの中間焦点距離における収差図である。
【図２９】実施例６のズームレンズの望遠端における収差図である。
【図３０】実施例６のズームレンズの望遠端における無限遠合焦時の横収差図である。
【図３１】本件発明に係る撮像装置の断面構成例を概念的に示す模式図である。
【発明を実施するための形態】
【００１３】
以下、本件発明に係るズームレンズ及び撮像装置の実施の形態を説明する。但し、以下に説明する当該ズームレンズ及び撮像装置は本件発明に係るズームレンズ及び撮像装置の一態様であって、本件発明に係るズームレンズ及び撮像装置は以下の態様に限定されるものではない。
【００１４】
１．ズームレンズ
１−１．ズームレンズの光学系の構成
まず、本件発明に係るズームレンズの実施の形態を説明する。本実施の形態のズームレンズは、少なくとも１枚のレンズ素子を含むレンズ群を複数備え、隣り合うレンズ群の間隔を変化させることで変倍する。ズームレンズでは、変倍時や合焦時にレンズ群を光軸方向に移動させることで変倍や合焦を行うため、ズームレンズでは、変倍時や合焦時にレンズ群を移動させるため各レンズ群間の空気間隔を確保する必要がある。本件発明に係るズームレンズは、光学的絞り位置よりも像側に配置されるレンズ群のパワー配置を後述する条件式（１）等を満足させることにより最適化することで、従来のズームレンズと比較すると変倍時や合焦時におけるレンズ群の移動量を小さくすることができ、各レンズ群の空気間隔を小さくすることができる。これらのことから、本件発明に係るズームレンズでは、従来よりもテレフォト比（光学全長／焦点距離）が小さく、より小型のズームレンズを実現することが可能になる。以下、当該ズームレンズの光学系の好ましい構成例を説明し、当該ズームレンズが満足することが好ましい条件式等に関する説明については後述する。但し、本件発明に係るズームレンズは、光学的絞り位置よりも像側に配置されるレンズ群のパワー配置を後述する条件式（１）等を満足させることにより最適化することで、当該効果が得られることから、本件発明に係るズームレンズの屈折力配置は以下に説明する実施の形態及び実施例に限定されるものではなく、本件発明の趣旨を逸脱しない範囲において屈折力配置や各レンズ群の構成は適宜変更することができるのは勿論である。
【００１５】
当該ズームレンズは、少なくとも１枚のレンズ素子を含むレンズ群を複数備えていればよく、当該ズームレンズのレンズ群構成は特に限定されるものではない。ここで、レンズ素子とは、実質的な屈折力を有するレンズをいう。レンズ素子は、球面レンズであってもよいし、非球面レンズであってもよい。非球面レンズは、ガラスモールド非球面レンズ、プラスチックモールド非球面レンズのいずれであってもよく、ガラスレンズの光学面に非球面形状の樹脂が成型されたいわゆる複合非球面レンズであってもよい。ここで、光学的絞りよりも像側に条件式（１）を満足するレンズ群を配置することでテレフォト比を小さくするだけでなく、光学的絞りより物体側で発生する負の歪曲収差を補正しやすくなり光学性能の向上と小型化の両立が可能となる。また、光学的絞り位置は、広角端において最も広い空気間隔より像側に配置されることが上記高性能化の点でさらに好ましい。
【００１６】
例えば、高変倍比であり、且つ、変倍域全域において光学性能の高いズームレンズを実現するには、当該ズームレンズを構成するレンズ群の数は３以上であることが好ましく、４以上であることがより好ましい。望遠端における光学全長を焦点距離に比して短くする上では物体側に正の屈折力を配置し、像側に負の屈折力を配置することが好ましい。高変倍比のズームレンズを実現するには、物体側より順に正の屈折力を有する第１レンズ群と、負の屈折力を有する第２レンズ群とを備えることが好ましい。また、第２レンズ群の像側に配置される第３レンズ群は正の屈折力を有することがより好ましい。また、光学的絞り位置よりも像側に１つ以上のレンズ群を備えることが好ましく、２つ以上のレンズ群を備えることがより好ましい。具体的には、光学的絞り位置よりも像側に、後述する第ｎレンズ群を１つ以上備えることが好ましく、当該第ｎレンズ群に加えて、後述する第ｍレンズ群を１つ以上備えることがより好ましい。
【００１７】
例えば、物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群とから当該ズームレンズを構成することが好ましい。
【００１８】
当該パワー配置を採用することで、次のような効果が得られる。まず、当該ズームレンズの最も物体側に正の屈折力を有する第１レンズ群を配置し、広角端から望遠端への変倍の際に第１レンズ群と第２レンズ群との間隔を変化させることで、高変倍比を実現することができる。また、第２レンズ群を負の屈折力を有するレンズ群とし、広角端から望遠端への変倍の際に第１レンズ群と第２レンズ群との間隔を広げることにより、テレフォト型の屈折力配置とし、高変倍比を実現しつつ、焦点距離に比して光学全長を短縮することができる。当該屈折力配置を採用することにより、変倍域全域において当該ズームレンズの有効口径と略同じ径の光束が第３レンズ群に入射する。すなわち、第３レンズ群にはいわゆるＦナンバー光束が入射する。そのため、第３レンズ群を正の屈折力を有するレンズ群とすれば、第３レンズ群において球面収差補正及び軸上色収差補正を効果的に行うことができ、変倍域全域において光学性能の高いズームレンズを得ることができる。さらに、第４レンズ群と第５レンズ群とにそれぞれ強い正の屈折力及び負の屈折力を配置し、変倍時にこれらを光軸に沿って移動させることでさらに高変倍比を実現することができる。そして、当該ズームレンズにおいて最も像側に配置される第６レンズ群を正の屈折力を有するレンズ群とすることで、Ｆナンバーの小さい明るいズームレンズを得ると共に変倍域全域で変化する像面湾曲の補正を当該第６レンズ群により行うことができる。
【００１９】
当該ズームレンズにおいて、光学的絞り位置は特に限定されるものではないが、第１レンズ群よりも像側に配置されることが好ましく、第２レンズ群よりも像側に配置されることが好ましい。特に、当該ズームレンズを構成する各レンズ群間の間隔の中で、広角端において最も広い間隔の像側に配置されるレンズ群の物体側又は像側に隣接配置され、或いはそのレンズ群内に光学的絞りが設けられ、当該レンズ群と光学的絞りとが変倍時に共に移動するように構成されることが好ましい。上述したように物体側から順に正負正正負正の屈折力配置を有する６群構成のズームレンズとする場合、第３レンズ群の物体側又は像側に光学的絞りが隣接配置され、或いは、第３レンズ群内に光学的絞りが存在することが好ましい。
【００２０】
１−２．動作
１−２−１．変倍時の動作
当該ズームレンズでは、隣り合うレンズ群の間隔を変えることにより変倍する。変倍時において、隣り合うレンズ群の間隔が変化する限り、各レンズ群の動作は限定されるものではない。すなわち、各レンズ群の移動の有無、移動の向き及び移動量は特に限定されるものではなく、全てのレンズ群が変倍の際に光軸に沿って移動してもよいし、全てのレンズ群のうちいずれか一つ以上のレンズ群は変倍時に像面に対して固定されていてもよい。
【００２１】
ここで、当該ズームレンズにおいて、最も像側に配置されるレンズ群(以下、最終レンズ群)は、広角端よりも望遠端において像側に位置することが好ましい。すなわち、広角端から望遠端への変倍時、最終レンズ群は像側に移動することが好ましい。但し、最終レンズ群は、広角端から望遠端への変倍時、像側に凸の軌跡を描きながら移動してもよい。最終レンズ群を広角端よりも望遠端において像側に位置するように、当該最終レンズ群を移動させると、最終レンズ群に入射する光線の最大高さを広角端と望遠端とにおいて異なる高さにすることができるため、変倍時に生じる像面湾曲の変動を抑制することができる。そのため、少ないレンズ枚数で変倍域全域において高い光学性能を有するズームレンズを得ることができる。
【００２２】
また、変倍比が高く、小型のズームレンズを実現する上で、例えば、物体側から順に正の屈折力を有する第１レンズ群と、負の屈折力を有する第２レンズ群と、正の屈折力を有する第３レンズ群とを備える場合、広角端から望遠端への変倍時、第１レンズ群と第２レンズ群との間隔は広がり、第２レンズ群と第３レンズ群との間隔は狭まることが好ましい。
【００２３】
さらに、当該ズームレンズを上述したように、物体側から順に、正負正正負正の屈折力配置を有する６群構成とした場合、変倍比が高く、より小型のズームレンズを実現する上で、広角端から望遠端への変倍時、第１レンズ群と第２レンズ群との間隔は広がり、第２レンズ群と第３レンズ群との間隔は狭まり、第５レンズ群と第６レンズ群との間隔は広がることが好ましい。第３レンズ群と第４レンズ群との間隔、第４レンズ群と第５レンズ群との間隔は特に限定されるものではない。
【００２４】
１−２−２．合焦時の動作
当該ズームレンズにおいて、近接被写体への合焦を行う際に、当該ズームレンズを構成するレンズ群のうち、いずれかのレンズ群或いはその一部を光軸方向に移動させて合焦させることができる。例えば、当該ズームレンズを上述したように、物体側から順に、正負正正負正の屈折力配置を有する６群構成とした場合、広角端において最も広い空気間隔より像側に配置されるレンズ群、すなわち第３レンズ群から像側のレンズ群全体或いはその一部をフォーカス群とすることが小型化の点で好ましい。さらに好ましくは、第４レンズ群及び第５レンズ群の双方又はいずれかの一方のレンズ群或いはその一部をフォーカス群とし、合焦時にフォーカス群を光軸に沿って移動させることで、無限遠から近距離物体まで合焦させる際のフォーカス群の移動量を小さくすることができる。当該構成において、第４レンズ群及び第５レンズ群は径の小さいレンズで構成することができるため、フォーカス群の小型化及び軽量化も図ることができる。そのため、フォーカス群を光軸に沿って移動させるためのアクチュエータ等の小型化及び軽量化を図ることができ、当該ズームレンズユニット全体の小型化及び軽量化を図ることができる。なお、合焦全領域、又は、合焦領域内で部分的に、第１レンズ群、第２レンズ群、第６レンズ群等を光軸に沿って移動させることで、合焦を補う群とすることもできる。
【００２５】
１−２−３．防振時の動作
当該ズームレンズでは、当該ズームレンズを構成するレンズのうち、少なくとも１枚のレンズを光軸と垂直方向に移動させることで、像を移動可能な防振群とし、手振れなどの像ブレが発生したときに、防振群を光軸と垂直方向に移動させることにより、像を移動させて、いわゆる手振れ補正（像ブレ補正）を行うよう構成してもよい。防振群を複数枚のレンズを用いて構成してもよいが、１枚のレンズ素子又は、複数枚のレンズ素子を接合した１つの接合レンズで構成することが防振群の軽量化及び小型化を図る上で好ましい。
【００２６】
例えば、当該ズームレンズを上述したように、物体側から順に、正負正正負正の屈折力配置を有する６群構成とした場合、第４レンズ群及び第５レンズ群のうちいずれか一方のレンズ群、若しくはその一部を光軸に対して垂直に移動させることで上記手振れ補正を行うことが好ましい。当該構成において、第４レンズ群及び第５レンズ群は径の小さいレンズで構成することができるため、防振群の小型化及び軽量化を図ることができる。そのため、防振群を光軸に対して垂直方向に移動させるためのアクチュエータ等の小型化及び軽量化を図ることができ、当該ズームレンズユニット全体の小型化及び軽量化を図ることができる。
【００２７】
１−３．条件式
当該ズームレンズでは、上述した構成を採用すると共に、次に説明する条件式を少なくとも１つ以上満足することが、光学全長をより短くすることができ、且つ、光学性能の高いズームレンズを実現することができる。
【００２８】
１−３−１．条件式（１）
当該ズームレンズは、光学的絞り位置よりも像側に、以下の条件式を満足する第ｎレンズ群を備えることが好ましい。
【００２９】
１４．００  ≦  ｜（１−ｂｎｆｔ２）×ｂｎｂｔ２｜  ≦  ５０．００  ・・・（１）
但し、
ｂｎｆｔ：第ｎレンズ群の望遠端における無限遠合焦時の横倍率
ｂｎｂｔ：第ｎレンズ群よりも像側に位置する全レンズ群の望遠端における無限遠合焦時の合成横倍率
【００３０】
条件式（１）は、第ｎレンズ群の光軸方向の移動量に対する結像面の移動量の比を規定する式である。光学的絞り位置よりも像側に上記条件式（１）を満足する第ｎレンズ群を配置することにより、高い光学性能を維持しつつ、従来よりも小型のズームレンズを実現することができる。
【００３１】
この数値が下限値を下回ると、第ｎレンズ群の屈折力が弱くなるため、要求される変倍比を確保するには変倍時における第ｎレンズ群の移動量を大きくする必要がある。そのため、変倍時に第ｎレンズ群を移動させるための間隔を確保する必要があり、当該ズームレンズの光学全長が長くなる。一方、この数値が上限値を上回ると、第ｎレンズ群の屈折力が強くなるため、変倍時における第ｎレンズ群の移動量を小さくすることができる。しかしながら、第ｎレンズ群の屈折力が強くなると収差が生じやすく、高い光学性能を維持するには、収差補正のために多くの枚数のレンズを要する。従って、レンズ枚数の増加により、光学全長が長くなる。従って、いずれの場合も、当該ズームレンズの小型化を図る上で好ましくない。
【００３２】
上記効果を得る上で、条件式（１）の下限値は１５．５０であることが好ましく、１７．５０であることがより好ましい。また、条件式（１）の上限値は、３５．００であることが好ましく、３０．００であることがより好ましく、２６．００であることがさらに好ましい。なお、条件式（１）において、上記下限値及び上限値の好ましい数値を適宜選択することができる。また、条件式（１）における等号付不等号（≦）を不等号（＜）に変換してもよい。他の条件式についても同様である。
【００３３】
１−３−２．条件式（２）
当該ズームレンズは、光学的絞り位置よりも像側に、以下の条件式を満足する第ｍレンズ群を備えることが好ましい。
【００３４】
４．４０  ≦  ｜ｂｍｔ｜  ≦  ９．００  ・・・（２）
但し、
ｂｍｔ：第ｍレンズ群の望遠端における無限遠合焦時の横倍率
【００３５】
条件式（２）は、第ｍレンズ群の望遠端における無限遠合焦時の横倍率を規定している。当該ズームレンズにおいて、光学的絞り位置は特に限定されるものではないが、光学的絞り位置よりも像側に上記条件式（２）を満足する第ｍレンズ群を配置することで次のような効果が得られる。上記条件式（２）を満足する第ｍレンズ群が光学的絞り位置よりも像側に配置される場合、当該第ｍレンズ群の物体側に隣接配置されるレンズ群を第ｍ−１レンズ群とすると、第１レンズ群から第ｍ−１レンズ群までのレンズ群による系の望遠端における焦点距離が小さくとも、第ｍレンズ群の横倍率を掛け合わせることで、当該ズームレンズの望遠端における焦点距離を長くすることができる。また、第１レンズ群から第ｍ−１レンズ群までの全レンズ群による系の焦点距離が小さいと、第１レンズ群から第ｍ−１レンズ群までの光軸に沿った長さを短くすることが容易となり、第１レンズ群から第ｍ−１レンズ群までを小型に構成することができる。従って、上記条件式（２）を満足する横倍率の大きな第ｍレンズ群を光学的絞りの像側に配置することにより、当該ズームレンズを小型に維持したまま、望遠化及び高変倍比化を図ることができる。
【００３６】
これに対して、条件式（２）の数値が下限値を下回ると、第ｍレンズ群の横倍率が小さくなるため、望遠端における当該ズームレンズの望遠化及び高変倍比化を図ることが困難になる。一方、条件式（２）の数値が上限値を上回ると、望遠端における当該ズームレンズの望遠化及び高変倍比化を図ることはできるが、高い光学性能を維持するには収差補正のために多くの枚数のレンズを要する。従って、レンズ枚数の増加により、当該ズームレンズの光学全長が長くなるため、ズームレンズの小型化を図るという観点から好ましくない。
【００３７】
上記効果を得る上で、条件式（２）の下限値は４．６０であることが好ましく、５．００であることがより好ましい。また、条件式（２）の上限値は、８．００であることが好ましく、７．２０であることがより好ましい。
【００３８】
なお、本件発明において、光学的絞りよりも像側に複数のレンズ群が配置される場合、上記第ｎレンズ群と上記第ｍレンズ群とは異なるレンズ群であってもよいし、同じレンズ群であってもよい。また、光学的絞りよりも像側に複数の第ｎレンズ群が配置されていてもよいし、複数の第ｍレンズ群が配置されていてもよい。
【００３９】
１−３−３．条件式（３）
当該ズームレンズが、物体側より順に、正の屈折力を有する第１レンズ群と、負の屈折力を有する第２レンズ群と、第３レンズ群と、第４レンズ群と、第５レンズ群を有するズームタイプの場合、以下の条件式（３）を満足することが好ましい。
【００４０】
０．１０  ≦  ｜ｆ４｜／√（ｆｗ×ｆｔ）  ≦  ０．６０  ・・・（３）
但し、
ｆ４：第４レンズ群の焦点距離
ｆｗ：広角端における当該ズームレンズの焦点距離
ｆｔ：望遠端における当該ズームレンズの焦点距離
【００４１】
条件式（３）は、当該ズームレンズが物体側より順に、正の屈折力を有する第１レンズ群と、負の屈折力を有する第２レンズ群と、第３レンズ群と、第４レンズ群と、第５レンズ群を有する場合における第４レンズ群の焦点距離を規定する式である。この場合、条件式（３）を満足させることにより、高い光学性能を維持しつつ、従来よりも小型のズームレンズを実現することができる。
【００４２】
これに対して、条件式（３）の数値が下限値を下回ると、第４レンズ群の屈折力が強くなる。このとき、望遠側のＦナンバーを明るくしようとすると球面収差やコマ収差等の補正が困難となる。そのため、高い光学性能を維持しつつ、Ｆナンバーの小さい明るいズームレンズを得るには、収差補正のために多くの枚数のレンズを要する。従って、レンズ枚数の増加により、当該ズームレンズの光学全長が長くなるため、ズームレンズの小型化を図るという観点から好ましくない。一方、条件式（３）の数値が上限値を上回ると、第４レンズ群の屈折力が弱くなる。このとき、高変倍比を確保するには変倍時における第４レンズ群の移動量を大きくする必要がある。そのため、変倍時に第４レンズ群を移動させるための間隔を確保する必要があり、当該ズームレンズの光学全長が長くなる。従って、当該ズームレンズの小型化を図るという観点から好ましくない。
【００４３】
上記効果を得る上で、条件式（３）の下限値は０．２０であることが好ましく、０．３０であることがより好ましい。また、条件式（３）の上限値は、０．５０であることが好ましく、０．４５であることがより好ましい。
【００４４】
また、当該効果を得る上で、第３レンズ群は正の屈折力を有していることがより好ましい。このとき、第３レンズ群及び第４レンズ群が正の屈折力を有し、第５レンズ群が負の屈折力を有することがさらに好ましい。また、当該ズームレンズは少なくとも５群構成であればよく、６群以上のレンズ群を備えていてもよい。当該ズームレンズが６群以上のレンズ群を備える場合、第５レンズ群までは上記好ましい屈折力配置を採用した上で、第６レンズ群は正の屈折力を有することがより好ましい。
【００４５】
１−３−４．条件式（４）
当該ズームレンズが、物体側より順に、正の屈折力を有する第１レンズ群と、負の屈折力を有する第２レンズ群と、第３レンズ群と、第４レンズ群と、第５レンズ群を有するズームタイプの場合、以下の条件式（４）を満足することが好ましい。
【００４６】
０．１０  ≦  ｜ｆ５｜／√（ｆｗ×ｆｔ）  ≦  ０．５０  ・・・（４）
但し、
ｆ５：第５レンズ群の焦点距離
ｆｗ：広角端における当該ズームレンズの焦点距離
ｆｔ：望遠端における当該ズームレンズの焦点距離
【００４７】
条件式（４）は、当該ズームレンズが物体側より順に、正の屈折力を有する第１レンズ群と、負の屈折力を有する第２レンズ群と、第３レンズ群と、第４レンズ群と、第５レンズ群を有する場合における第５レンズ群の焦点距離を規定する式である。この場合、条件式（４）を満足させることにより、高い光学性能を維持しつつ、従来よりも小型のズームレンズを実現することができる。
【００４８】
これに対して、条件式（４）の数値が下限値を下回ると、第５レンズ群の屈折力が強くなる。このとき、望遠側のＦナンバーを明るくしようとすると球面収差やコマ収差等の補正が困難となる。そのため、高い光学性能を維持しつつ、Ｆナンバーの小さい明るいズームレンズを得るには、収差補正のために多くの枚数のレンズを要する。従って、レンズ枚数の増加により、当該ズームレンズの光学全長が長くなるため、ズームレンズの小型化を図るという観点から好ましくない。一方、条件式（４）の数値が上限値を上回ると、第５レンズ群の屈折力が弱くなる。このとき、高変倍比を確保するには変倍時における第４レンズ群の移動量を大きくする必要がある。そのため、変倍時に第５レンズ群を移動させるための間隔を確保する必要があり、当該ズームレンズの光学全長が長くなる。従って、当該ズームレンズの小型化を図るという観点から好ましくない。
【００４９】
上記効果を得る上で、条件式（４）の下限値は０．１５であることが好ましく、０．２０であることがより好ましい。また、条件式（４）の上限値は、０．４０であることが好ましく、０．３０であることがより好ましい。
【００５０】
また、当該効果を得る上で、第３レンズ群は正の屈折力を有していることがより好ましい。このとき、第３レンズ群及び第４レンズ群が正の屈折力を有し、第５レンズ群が負の屈折力を有することがさらに好ましい。また、当該ズームレンズは少なくとも５群構成であればよく、６群以上のレンズ群を備えていてもよい。当該ズームレンズが６群以上のレンズ群を備える場合、第５レンズ群までは上記好ましい屈折力配置を採用した上で、第６レンズ群は正の屈折力を有することがより好ましい。
【００５１】
２．撮像装置
次に、本件発明に係る撮像装置について説明する。本件発明に係る撮像装置は、上記本件発明に係るズームレンズと、当該ズームレンズの像面側に設けられた、当該ズームレンズによって形成された光学像を電気的信号に変換する撮像素子とを備えたことを特徴とする。
【００５２】
本件発明において、撮像素子等に特に限定はなく、ＣＣＤ（Charge Coupled Device）センサやＣＭＯＳ（Complementary Metal Oxide Semiconductor）センサなどの固体撮像素子等も用いることができる。
【００５３】
このような撮像装置の具体的構成例を図３１に示す。図３１は、レンズ交換式の撮像装置１の断面を模式的に表した図である。図３１に示すように、当該レンズ交換式の撮像装置１は、ズームレンズを収容した鏡筒部２が、当該撮像装置１のマウント部３に着脱自在に固定されている。当該撮像装置１は、ズームレンズの像面側に撮像素子４を備え、この撮像素子４の撮像面にはズームレンズによって光学像が結像される。撮像面に結像された光学像は、当該撮像素子４において電気信号に変換される。当該電気信号に基づいて生成された画像データは、撮像装置１の背面に設けられたバックモニタ等の画像出力装置５に出力される。
【００５４】
ここで、撮像素子等に特に限定はなく、ＣＣＤ（Charge Coupled Device）センサやＣＭＯＳ（Complementary Metal Oxide Semiconductor）センサなどの固体撮像素子等も用いることができる。本件発明に係る撮像装置は、デジタルカメラやビデオカメラ等のこれらの固体撮像素子を用いた撮像装置に好適である。また、当該撮像装置は、レンズが筐体に固定されたレンズ固定式の撮像装置であってもよいし、一眼レフカメラやミラーレス一眼カメラ等のレンズ交換式の撮像装置であってもよいのは勿論である。特に、本件発明に係るズームレンズは交換レンズシステムに好適なバックフォーカスを確保することができる。そのため、光学式ファインダーや、位相差センサ、これらに光を分岐するためのリフレックスミラー等を備えた一眼レフカメラ等の撮像装置に好適である。
【００５５】
当該撮像装置は、撮像素子により取得した撮像画像データを電気的に加工して、撮像画像の形状を変化させる画像処理部や、当該画像処理部において撮像画像データを加工するために用いる画像補正データ、画像補正プログラム等を保持する画像補正データ保持部等を有することがより好ましい。ズームレンズを小型化した場合、結像面において結像された撮像画像形状の歪み（歪曲）が生じやすくなる。その際、画像補正データ保持部に予め撮像画像形状の歪みを補正するための歪み補正データを保持させておき、上記画像処理部において、画像補正データ保持部に保持された歪み補正データを用いて、撮像画像形状の歪みを補正することが好ましい。このような撮像装置によれば、ズームレンズの小型化をより一層図ることができ、秀麗な撮像画像を得ると共に、撮像装置全体の小型化を図ることができる。
【００５６】
さらに、本件発明に係る撮像装置において、上記画像補正データ保持部に予め倍率色収差補正データを保持させておき、上記画像処理部において、画像補正データ保持部に保持された倍率色収差補正データを用いて、当該撮像画像の倍率色収差補正を行わせることが好ましい。画像処理部により、倍率色収差、すなわち、色による倍率の差を補正することで、光学系を構成するレンズ枚数を削減することが可能になる。そのため、このような撮像装置によれば、ズームレンズの小型化をより一層図ることができ、秀麗な撮像画像を得ると共に、撮像装置全体の小型化を図ることができる。
【００５７】
次に、実施例を示して本件発明を具体的に説明する。但し、本件発明は以下の実施例に限定されるものではない。以下に挙げる各実施例のズームレンズは、上記撮像装置（光学装置）に用いられるズームレンズ（変倍光学系）であり、特に、レンズ交換撮像システムを適用した撮像装置に好ましく適用することができる。また、各レンズ断面図において、図面に向かって左方が物体側であり、右方が像側である。
【実施例１】
【００５８】
（１）光学系の構成
図１は、本件発明に係る実施例１のズームレンズの構成を示すレンズ断面図である。当該ズームレンズは、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成され、隣り合うレンズ群の間隔を変えることにより変倍を行うズームレンズである。
【００５９】
実施例１のズームレンズにおいて、第４レンズ群及び第５レンズ群がそれぞれ本件発明にいう第ｎレンズ群であり、第５レンズ群が本件発明にいう第ｍレンズ群である。
【００６０】
当該ズームレンズでは、広角端から望遠端への変倍時、第１レンズ群Ｇ１と第２レンズ群Ｇ２との間隔が広がり、第２レンズ群Ｇ２と第３レンズ群Ｇ３との間隔が狭まり、第３レンズ群Ｇ３と第４レンズ群Ｇ４との間隔が広がり、第４レンズ群Ｇ４と第５レンズ群Ｇ５との間隔が狭まり、第５レンズ群Ｇ５と第６レンズ群Ｇ６との間隔が広がるように、各レンズ群が図１に示す軌跡に従って移動する。また、図１に示すように、当該ズームレンズにおいて最も像側に配置される第６レンズ群Ｇ６は、広角端よりも望遠端において像側に位置している。
【００６１】
当該ズームレンズでは、第４レンズ群Ｇ４をフォーカス群とし、第４レンズ群Ｇ４を光軸に沿って物体側に移動させることで、無限遠から近接被写体に合焦する。さらに、当該ズームレンズでは第５レンズ群Ｇ５が防振群であり、当該第５レンズ群Ｇ５を光軸と垂直方向に移動させることで、像を移動させて、いわゆる手振れ補正を行うことができる。
【００６２】
なお、図中、当該ズームレンズの像面側に示す「Ｉ」は像面であり、具体的には、ＣＣＤセンサやＣＭＯＳセンサなどの固体撮像素子の撮像面、或いは、銀塩フィルムのフィルム面等を示す。また、像面Ｉの物体側にはカバーガラス（ＣＧ）等の実質的な屈折力を有さない平行平板を備える。各レンズ群の具体的なレンズ構成は図１に示すとおりである。これらの符号は他の実施例で示す各図においても同様のものを示すため、以下では説明を省略する。
【００６３】
（２）数値実施例
次に、当該ズームレンズの具体的数値を適用した数値実施例１について説明する。表１に、当該ズームレンズのレンズデータを示す。表１において、「面番号」は物体側から数えたレンズ面の順番、「ｒ」はレンズ面の曲率半径、「ｄ」はレンズ面の光軸上の間隔、「ｎｄ」はｄ線（波長λ＝５８７．５６ｎｍ）に対する屈折率、「ｖｄ」はｄ線（波長λ＝５８７．５６ｎｍ）に対するアッベ数をそれぞれ示している。また、その面が非球面である場合、面番号の次に「＊（アスタリスク）」を付して示している。また、開口絞り（光学的絞り）が配置される面は、面番号の次に「Ｓ」を付して示している。なお、表中の長さの単位は全て「ｍｍ」であり、角度の単位は全て「°」である。
【００６４】
表２に、各非球面の非球面係数を示す。当該非球面係数は、各非球面形状を下記式で定義したときの値である。表２に表示していない非球面係数は０．００である。
【００６５】
ｚ＝ｃｈ２／［１＋｛１−（１＋ｋ）ｃ２ｈ２｝１／２］＋Ａ４ｈ４＋Ａ６ｈ６＋Ａ８ｈ８＋Ａ１０ｈ１０・・・
【００６６】
但し、上記式において、「ｃ」は曲率（１／ｒ）、「ｈ」は光軸からの高さ、「ｋ」は円錐係数、「Ａ４」、「Ａ６」、「Ａ８」、「Ａ１０」・・・は各次数の非球面係数。また、表２において「Ｅ−ｎ」は「×１０−ｎ」を示す。
【００６７】
表３に、当該ズームレンズの各種データを示す。当該表には、当該ズームレンズのズーム比（変倍比）及び最大像高と、広角端（広角）、中間焦点距離（中間）、望遠端（望遠）における当該ズームレンズの焦点距離、Ｆナンバー、半画角、光学全長、バックフォーカス及び無限遠合焦時における当該ズームレンズの光軸上の可変間隔とを示す。なお、表中の長さの単位は全て「ｍｍ」であり、角度の単位は全て「°」である。
【００６８】
表４に、各レンズ群の始面の面番号と、焦点距離と、レンズ群構成長と、レンズ群移動量とを示す。ここで、レンズ群構成長は、各レンズ群の始面から終面までの光軸上の距離をいう。また、レンズ群移動量は、各レンズ群の広角端における光軸上の位置から望遠端における光軸上の位置までの移動量（距離）をいう。この移動量は、物体側への移動を正とし、像側への移動を負とする。但し、第２レンズ群Ｇ２のように変倍時に広角端から望遠端へ向けて直線的に移動するのではなく、像側に凸又は物体側に凸の軌跡を描くように移動するレンズ群の場合は、各レンズ群の広角端における光軸上の位置から望遠端における光軸上の位置までの差分（距離）を意味する。
【００６９】
表５に、各レンズ群の始面の面番号と、広角端（広角）、中間焦点距離（中間）、望遠端（望遠）における横倍率を示す。このとき、変倍位置は各種データの焦点距離と同一である。また、表３１に条件式（１）〜条件式（４）の値と、当該値を算出するために用いた各値を示す。
【００７０】
上述した各表に関する事項は他の実施例で示す各表においても同様であるため、以下では説明を省略する。
【００７１】
図２〜図４に、当該ズームレンズの広角端、中間焦点距離、望遠端における無限遠合焦時の縦収差図をそれぞれ示す。それぞれの縦収差図は、左から順に、球面収差、非点収差、歪曲収差を表している。球面収差図において、縦軸はＦナンバー（図中、ＦＮＯで示す）を表し、実線はｄ線（ｄ−ｌｉｎｅ）、短破線はｇ線（ｇ−ｌｉｎｅ）、長破線はＣ線（Ｃ−ｌｉｎｅ）の特性である。非点収差図において、縦軸は半画角（図中、Ｗで示す）を表し、実線はサジタル平面、破線はメリディオナル平面の特性である。歪曲収差図において、縦軸は半画角（図中、Ｗで示す）を表す。
【００７２】
図５に、当該ズームレンズの望遠端の無限遠合焦状態における横収差図を示す。図５に向かって左側（Ｄｅｃ＝０．０００）には防振補正を行っていない基本状態における横収差を示し、上段は最大像高の７０％の像点における横収差、中段は最大像高の−７０％の像点における横収差、下段は軸上像点における横収差を示している。また、図５に向かって右側（Ｄｅｃ＝０．３８８）は、防振群を光軸と垂直な方向に０．３８８ｍｍ移動した防振補正時（防振角度０．３°／望遠端における無限遠合焦時）における横収差を示し、上段は最大像高の７０％の像点における横収差、中段は最大像高の−７０％の像点における横収差、下段は軸上像点における横収差を示している。なお、各図において、横軸は瞳面上での主光線からの距離を表し、実線はｄ線、短破線はｇ線、長破線はＣ線に相当する波長の特性を示している。
【００７３】
防振群の移動量は、望遠端における無限遠合焦時において、当該ズームレンズが０．３°傾いたときの像偏心量は、防振群が光軸と垂直な方向に上記の移動量だけ並行移動したときの像偏心量に等しい。各横収差図から、軸上像点における横収差の対称性は良好であることが分かる。また、最大像高の７０％の像点における横収差と、最大像高の−７０％の像点における横収差とをそれぞれ基本状態と比較すると、いずれも湾曲度が小さく、収差曲線の傾斜がほぼ等しいことから、偏心コマ収差、偏心非点収差が小さいことが分かる。このことから、当該ズームレンズは、手振れ補正時においても良好な光学性能が得られていることが分かる。他の実施例においても同じであるため、以下の実施例においては説明を省略する。
【００７４】
なお、これらの収差を表示する順序、並び、各図において実線、波線等が示すものは他の実施例で示す各図においても同様であるため、以下では説明を省略する。
【００７５】
［表１］
面番号           r         d          nd       vd
1           94.964     2.000      2.0006    25.45
2           52.022     5.787      1.4970    81.61
3          264.380     0.200                     
4           54.012     5.108      1.4970    81.61
5         2253.773     0.200                     
6           63.879     3.000      1.9037    31.31
7          119.598        d7                     
8*          64.441     1.300      1.8820    37.22
9*          12.058     5.386                     
10         -94.019     1.000      2.0010    29.13
11          73.240     0.644                     
12         127.316     3.327      1.9459    17.98
13         -28.647     0.891                     
14*        -22.067     0.900      1.7725    49.50
15*        -72.940       d15                     
16S           ∞       1.000                     
17*         20.121     3.786      1.4971    81.56
18*       1409.661       d18                     
19*         17.191     4.919      1.5533    71.68
20*        -50.855     1.878                     
21          56.865     0.900      2.0010    29.13
22           9.160     7.887      1.5814    40.89
23*        -29.602       d23                     
24*        -42.240     0.800      1.7725    49.50
25*         20.080       d25                     
26         636.983     3.710      1.9229    20.88
27         -63.830       d27                     
28            ∞       2.500      1.5168    64.20
29            ∞       1.000 
【００７６】
［表２］
面番号         k           A4           A6           A8          A10
8     0.0000E+00  -2.5632E-05   1.8407E-07  -8.7376E-10   1.2772E-12
9     0.0000E+00  -1.5012E-05   1.2921E-07   2.2737E-09   4.4432E-12
14    0.0000E+00  -7.1219E-05   1.6443E-06  -1.3602E-08   3.0123E-11
15    0.0000E+00  -1.0261E-04   1.5454E-06  -1.5232E-08   3.7386E-11
17    0.0000E+00  -1.8115E-05   4.6935E-08  -4.3528E-09   8.1730E-12
18    0.0000E+00  -2.6032E-06   4.2784E-08  -4.5811E-09   1.2073E-11
19    0.0000E+00  -1.6902E-05   4.8937E-08   2.9361E-09  -6.0779E-12
20    0.0000E+00   3.7750E-05   4.3845E-08   5.6535E-09  -3.4649E-11
23    0.0000E+00  -1.0546E-05  -2.5024E-07  -5.8315E-09   1.9511E-11
24    0.0000E+00   1.9282E-05   1.4775E-09  -9.8475E-09   4.7582E-11
25    0.0000E+00  -3.4707E-06  -8.2856E-09  -9.3117E-09   2.4704E-11
【００７７】
［表３］
ズーム比             14.097
像高                 14.200
広角       中間       望遠
焦点距離             18.566     70.020    261.733
Fナンバー             3.605      5.550      6.489
半画角               37.748     10.466      3.048
光学全長            120.000    133.768    180.000
バックフォーカス     18.272     16.100     14.646
d7                    1.000     26.869     38.463
d15                  31.556     11.044      2.000
d18                   7.438      4.400      7.816
d23                   2.851      5.978      2.003
d25                   3.405     13.899     59.594
d27                  15.626     13.454     12.000
【００７８】
［表４］
群    始面     焦点距離  レンズ群構成長  レンズ群移動量
1     1        68.848        16.295        59.954
2     8       -14.798        13.448        22.491
3     17       41.025         3.786        52.047
4     19       29.720        15.585        51.669
5     24      -17.520         0.800        52.518
6     26       63.026         3.710        -3.672
【００７９】
［表５］
群    始面         広角       中間       望遠
1     1           0.000      0.000      0.000
2     8          -0.318     -0.718     -1.642
3     17         -2.049     -7.560     -4.081
4     19          0.209      0.080      0.132
5     24          2.797      3.155      5.609
6     26          0.707      0.742      0.766
【実施例２】
【００８０】
（１）光学系の構成
図６は、本件発明に係る実施例２のズームレンズの構成を示すレンズ断面図である。当該ズームレンズは、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成され、隣り合うレンズ群の間隔を変えることにより変倍を行うズームレンズである。
【００８１】
実施例２のズームレンズにおいて、第４レンズ群及び第５レンズ群がそれぞれ本件発明にいう第ｎレンズ群であり、第５レンズ群が本件発明にいう第ｍレンズ群である。
【００８２】
当該ズームレンズでは、広角端から望遠端への変倍時、第１レンズ群Ｇ１と第２レンズ群Ｇ２との間隔が広がり、第２レンズ群Ｇ２と第３レンズ群Ｇ３との間隔が狭まり、第３レンズ群Ｇ３と第４レンズ群Ｇ４との間隔が広がり、第４レンズ群Ｇ４と第５レンズ群Ｇ５との間隔が変化し、第５レンズ群Ｇ５と第６レンズ群Ｇ６との間隔が広がるように、各レンズ群が図６に示す軌跡に従って移動する。また、図６に示すように、当該ズームレンズにおいて最も像側に配置される第６レンズ群Ｇ６は、広角端よりも望遠端において像側に位置している。
【００８３】
当該ズームレンズでは、第４レンズ群Ｇ４をフォーカス群とし、第４レンズ群Ｇ４を光軸に沿って物体側に移動させることで、無限遠から近接被写体に合焦する。さらに、当該ズームレンズでは第５レンズ群Ｇ５が防振群であり、当該第５レンズ群Ｇ５を光軸と垂直方向に移動させることで、像を移動させて、いわゆる手振れ補正を行うことができる。
【００８４】
なお、各レンズ群の具体的なレンズ構成は図６に示すとおりである。
【００８５】
（２）数値実施例
次に、当該ズームレンズの具体的数値を適用した数値実施例２について説明する。表６に、当該ズームレンズのレンズデータを示す。表７に、各非球面の非球面係数を示す。また、表７に表示していない非球面係数は０．００である。表８に、当該ズームレンズの各種データを示す。表９に、各レンズ群の始面の面番号と、焦点距離と、レンズ群構成長と、レンズ群移動量とを示す。表１０に、各レンズ群の始面の面番号と、各変倍位置における横倍率を示す。また、表３１に条件式（１）〜条件式（４）の値と、当該値を算出するために用いた各値を示す。
【００８６】
図７〜図９に、当該ズームレンズの広角端、中間焦点距離、望遠端における無限遠合焦時の縦収差図をそれぞれ示す。また、図１０に、当該ズームレンズの横収差図を示す。なお、図１０に向かって右側は、防振群を光軸と垂直な方向に０．３８１ｍｍ移動した防振補正時（防振角度０．３°）における横収差を示す。
【００８７】
［表６］
面番号           r         d          nd       vd
1          101.092     2.200      1.9037    31.31
2           63.207     5.613      1.4970    81.61
3          395.687     0.200                     
4           84.314     3.500      1.4970    81.61
5          281.335     0.200                     
6           79.604     4.104      1.4970    81.61
7          474.396        d7                     
8*        -231.620     1.400      1.8820    37.22
9*          20.037     5.299                     
10        -121.315     1.100      1.8348    42.72
11          37.346     0.919                     
12          57.841     4.091      1.9229    20.88
13         -33.271     1.156                     
14*        -21.305     1.000      1.8513    40.10
15*        -58.217       d15                     
16S           ∞       1.000                     
17*         26.551     3.327      1.5920    67.02
18*       -132.915       d18                     
19*         34.178     2.223      1.6188    63.86
20*       -342.166     2.936                     
21          46.882     0.800      2.0010    29.13
22          13.729     5.827      1.5831    59.46
23*        -17.367       d23                     
24         -96.149     2.820      1.8467    23.78
25         -13.098     0.800      1.8820    37.22
26*         16.545       d26                     
27        -102.636     5.700      1.7234    37.99
28         -24.997     0.716                     
29         -23.559     1.600      1.9229    20.88
30         -29.184       d30                     
31            ∞       2.500      1.5168    64.20
32            ∞       1.100  
【００８８】
［表７］
面番号         k           A4           A6           A8          A10
8     0.0000E+00   5.1727E-05  -1.0287E-07  -1.3162E-10   3.8136E-13
9     0.0000E+00   5.9280E-05   2.2582E-07   6.2539E-10   8.9037E-12
14    0.0000E+00  -3.9565E-05   1.1341E-06  -7.2070E-09   1.4574E-11
15    0.0000E+00  -5.1653E-05   9.6104E-07  -7.2704E-09   1.5009E-11
17    0.0000E+00  -1.1160E-05   7.9504E-08  -2.2477E-09   5.8704E-12
18    0.0000E+00  -1.5922E-05   5.1017E-08  -2.0970E-09   7.3659E-12
19    0.0000E+00  -6.1143E-05  -7.5852E-07  -4.9424E-09   9.5182E-11
20    0.0000E+00  -1.8198E-07  -7.4639E-07  -1.4604E-09   9.1552E-11
23    0.0000E+00   6.3036E-06  -2.3975E-07  -4.2991E-10  -2.7903E-11
26    0.0000E+00  -2.1441E-05  -1.1438E-08   6.0804E-10  -2.3577E-11
【００８９】
［表８］
ズーム比             15.668
像高                 14.200
広角       中間       望遠
焦点距離             18.558     70.005    290.760
Fナンバー             3.605      5.550      6.489
半画角               38.867     10.945      2.825
光学全長            130.000    162.903    199.994
バックフォーカス     22.929     17.476     14.750
d7                    1.000     34.288     59.940
d15                  35.631     14.626      2.000
d18                   5.419      5.407      8.769
d23                   1.999      3.808      2.002
d26                   3.636     27.913     53.147
d30                  20.183     14.729     12.004
【００９０】
［表９］
群    始面     焦点距離  レンズ群構成長  レンズ群移動量
1     1        95.732        15.817        69.994
2     8       -16.672        14.965        11.054
3     17       37.674         3.327        44.685
4     19       24.518        11.787        41.335
5     24      -15.191         3.620        41.332
6     27       64.913         8.015        -8.179
【００９１】
［表１０］
群    始面         広角       中間       望遠
1     1           0.000      0.000      0.000
2     8          -0.238     -0.455     -1.518
3     17         -1.275     -3.102     -2.185
4     19          0.252      0.148      0.191
5     24          3.787      4.663      6.021
6     27          0.667      0.752      0.795
【実施例３】
【００９２】
（１）光学系の構成
図１１は、本件発明に係る実施例３のズームレンズの構成を示すレンズ断面図である。当該ズームレンズは、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成され、隣り合うレンズ群の間隔を変えることにより変倍を行うズームレンズである。
【００９３】
実施例３のズームレンズにおいて、第４レンズ群及び第５レンズ群がそれぞれ本件発明にいう第ｎレンズ群であり、第５レンズ群が本件発明にいう第ｍレンズ群である。
【００９４】
当該ズームレンズでは、広角端から望遠端への変倍時、第１レンズ群Ｇ１と第２レンズ群Ｇ２との間隔が広がり、第２レンズ群Ｇ２と第３レンズ群Ｇ３との間隔が狭まり、第３レンズ群Ｇ３と第４レンズ群Ｇ４との間隔が広がり、第４レンズ群Ｇ４と第５レンズ群Ｇ５との間隔が広がり、第５レンズ群Ｇ５と第６レンズ群Ｇ６との間隔が広がるように、各レンズ群が図１１に示す軌跡に従って移動する。また、図１１に示すように、当該ズームレンズにおいて最も像側に配置される第６レンズ群Ｇ６は、広角端よりも望遠端において像側に位置している。
【００９５】
当該ズームレンズでは、第４レンズ群Ｇ４をフォーカス群とし、第４レンズ群Ｇ４を光軸に沿って物体側に移動させることで、無限遠から近接被写体に合焦する。さらに、当該ズームレンズでは第５レンズ群Ｇ５が防振群であり、当該第５レンズ群Ｇ５を光軸と垂直方向に移動させることで、像を移動させて、いわゆる手振れ補正を行うことができる。
【００９６】
なお、各レンズ群の具体的なレンズ構成は図１１に示すとおりである。
【００９７】
（２）数値実施例
次に、当該ズームレンズの具体的数値を適用した数値実施例３について説明する。表１１に、当該ズームレンズのレンズデータを示す。表１２に、各非球面の非球面係数を示す。また、表１２に表示していない非球面係数は０．００である。表１３に、当該ズームレンズの各種データを示す。表１４に、各レンズ群の始面の面番号と、焦点距離と、レンズ群構成長と、レンズ群移動量とを示す。表１５に、各レンズ群の始面の面番号と、各変倍位置における横倍率を示す。また、表３１に条件式（１）〜条件式（４）の値と、当該値を算出するために用いた各値を示す。
【００９８】
図１２〜図１４に、当該ズームレンズの広角端、中間焦点距離、望遠端における無限遠合焦時の縦収差図をそれぞれ示す。また、図１５に、当該ズームレンズの横収差図を示す。なお、図１５に向かって右側は、防振群を光軸と垂直な方向に０．５０８ｍｍ移動した防振補正時（防振角度０．３°）における横収差を示す。
【００９９】
［表１１］
面番号           r         d          nd       vd
1          123.754     2.000      1.9037    31.31
2           72.109     6.674      1.4970    81.61
3          238.930     0.200                     
4           92.192     6.961      1.4970    81.61
5        -1005.207     0.200                     
6          101.694     4.500      1.7292    54.67
7          173.295        d7                     
8*         200.000     1.500      1.8820    37.22
9*          17.632     6.642                     
10         273.426     1.200      1.6180    63.40
11          54.411     0.656                     
12          59.333     5.035      1.9229    20.88
13         -40.924     0.921                     
14*        -26.785     1.000      1.8513    40.10
15*        546.048       d15                     
16S           ∞       1.000                     
17*         33.844     5.823      1.5920    67.02
18*        -85.510       d18                     
19*         56.890     3.593      1.5533    71.68
20*        -54.059     3.732                     
21        1114.106     0.800      2.0010    29.13
22          21.689     6.584      1.6226    58.16
23*        -22.266       d23                     
24        -334.791     3.603      1.8467    23.78
25         -20.685     0.800      1.8820    37.22
26*         19.751       d26                     
27         951.983     6.287      1.7234    37.99
28         -34.969     0.827                     
29         -31.964     1.500      1.9229    20.88
30         -39.443       d30                     
31            ∞       2.500      1.5168    64.20
32            ∞       1.100 
【０１００】
［表１２］
面番号         k           A4           A6           A8          A10
8     0.0000E+00   8.0819E-06  -2.6964E-09  -6.4754E-11   7.2822E-14
9     0.0000E+00   1.2155E-05   3.4175E-08   4.8572E-10  -8.0341E-13
14    0.0000E+00  -4.7779E-06   2.8177E-07  -1.5409E-09   3.5134E-12
15    0.0000E+00  -2.1085E-05   2.4448E-07  -1.5160E-09   3.0061E-12
17    0.0000E+00  -1.1491E-05   6.8538E-09  -3.2425E-10   2.4591E-12
18    0.0000E+00  -5.7881E-06   2.8350E-10  -4.1414E-10   3.0355E-12
19    0.0000E+00  -1.4136E-05  -1.0025E-07  -3.8449E-10   5.3752E-14
20    0.0000E+00   2.0595E-05  -1.0225E-07  -2.9476E-10   1.0781E-12
23    0.0000E+00   5.0599E-07  -1.4518E-08  -1.0431E-10  -1.4276E-12
26    0.0000E+00  -8.2595E-06  -9.7961E-09  -1.7363E-10   9.9995E-13
【０１０１】
［表１３］
ズーム比             20.894
像高                 14.200
広角       中間       望遠
焦点距離             18.556     85.026    387.712
Fナンバー             3.605      5.550      6.489
半画角               38.856      9.039      2.136
光学全長            155.243    186.883    260.000
バックフォーカス     24.232     17.831     14.746
d7                    1.000     41.490     73.260
d15                  46.071     11.968      2.000
d18                   5.573      4.100     10.151
d23                   1.994      7.847      3.818
d26                   3.483     30.756     83.134
d30                  21.485     15.084     12.000
【０１０２】
［表１４］
群    始面     焦点距離  レンズ群構成長  レンズ群移動量
1     1       118.727        20.535       104.757
2     8       -19.133        16.953        32.497
3     17       41.714         5.823        76.568
4     19       34.008        14.709        71.990
5     24      -20.323         4.403        70.166
6     27       61.907         8.613        -9.485
【０１０３】
［表１５］
群    始面         広角       中間       望遠
1     1           0.000      0.000      0.000
2     8          -0.218     -0.405     -1.238
3     17         -1.066     -4.837     -2.859
4     19          0.325      0.129      0.195
5     24          3.486      4.058      6.341
6     27          0.593      0.697      0.748
【実施例４】
【０１０４】
（１）光学系の構成
図１６は、本件発明に係る実施例４のズームレンズの構成を示すレンズ断面図である。当該ズームレンズは、物体側より順に、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成され、隣り合うレンズ群の間隔を変えることにより変倍を行うズームレンズである。
【０１０５】
実施例４のズームレンズにおいて、第４レンズ群及び第５レンズ群がそれぞれ本件発明にいう第ｎレンズ群であり、第５レンズ群が本件発明にいう第ｍレンズ群である。
【０１０６】
当該ズームレンズでは、広角端から望遠端への変倍時、第１レンズ群Ｇ１と第２レンズ群Ｇ２との間隔が広がり、第２レンズ群Ｇ２と第３レンズ群Ｇ３との間隔が狭まり、第３レンズ群Ｇ３と第４レンズ群Ｇ４との間隔が広がり、第４レンズ群Ｇ４と第５レンズ群Ｇ５との間隔が狭まり、第５レンズ群Ｇ５と第６レンズ群Ｇ６との間隔が広がるように、各レンズ群が図１６に示す軌跡に従って移動する。また、図１６に示すように、当該ズームレンズにおいて最も像側に配置される第６レンズ群Ｇ６は、広角端よりも望遠端において像側に位置している。
【０１０７】
当該ズームレンズでは、第４レンズ群Ｇ４をフォーカス群とし、第４レンズ群Ｇ４を光軸に沿って物体側に移動させることで、無限遠から近接被写体に合焦する。さらに、当該ズームレンズでは第５レンズ群Ｇ５が防振群であり、当該第５レンズ群Ｇ５を光軸と垂直方向に移動させることで、像を移動させて、いわゆる手振れ補正を行うことができる。
【０１０８】
なお、各レンズ群の具体的なレンズ構成は図１６に示すとおりである。
【０１０９】
（２）数値実施例
次に、当該ズームレンズの具体的数値を適用した数値実施例４について説明する。表１６に、当該ズームレンズのレンズデータを示す。表１７に、各非球面の非球面係数を示す。また、表１７に表示していない非球面係数は０．００である。表１８に、当該ズームレンズの各種データを示す。表１９に、各レンズ群の始面の面番号と、焦点距離と、レンズ群構成長と、レンズ群移動量とを示す。表２０に、各レンズ群の始面の面番号と、各変倍位置における横倍率を示す。また、表３１に条件式（１）〜条件式（４）の値と、当該値を算出するために用いた各値を示す。
【０１１０】
図１７〜図１９に、当該ズームレンズの広角端、中間焦点距離、望遠端における無限遠合焦時の縦収差図をそれぞれ示す。また、図２０に、当該ズームレンズの横収差図を示す。なお、図２０に向かって右側は、防振群を光軸と垂直な方向に０．５９０ｍｍ移動した防振補正時（防振角度０．３°）における横収差を示す。
【０１１１】
［表１６］
面番号           r         d          nd       vd
1          153.935     3.000      1.9037    31.31
2           86.800     9.593      1.4970    81.61
3         1123.885     0.200                     
4          101.552     8.830      1.4970    81.61
5        -1146.395     0.200                     
6           98.860     4.500      1.7292    54.67
7          125.753        d7                     
8*         193.643     2.000      1.8820    37.22
9*          18.511     6.285                     
10          93.723     1.500      1.6180    63.40
11          36.135     0.664                     
12          40.312     6.515      1.9229    20.88
13         -49.445     1.019                     
14*        -28.238     1.200      1.8513    40.10
15*        106.248       d15                     
16S           ∞       1.000                     
17*         30.975     5.202      1.5920    67.02
18*       -133.398       d18                     
19*         54.495     3.877      1.5533    71.68
20*        -52.097     2.957                     
21        1476.002     1.000      2.0010    29.13
22          22.786     6.811      1.6226    58.16
23*        -23.083       d23                     
24        -507.138     3.010      1.8467    23.78
25         -24.905     0.800      1.8820    37.22
26*         22.571       d26                     
27         545.594     6.649      1.7234    37.99
28         -36.673     0.909                     
29         -33.127     1.500      1.9229    20.88
30         -41.156       d30                     
31            ∞       2.500      1.5168    64.20
32            ∞       1.100   
【０１１２】
［表１７］
面番号         k           A4           A6           A8          A10
8     0.0000E+00   8.5188E-06  -2.8178E-09  -4.6706E-11   4.0349E-14
9     0.0000E+00   1.2886E-05   3.9482E-08   3.3994E-10   1.7822E-13
14    0.0000E+00  -2.3649E-06   2.8413E-07  -1.5191E-09   3.5389E-12
15    0.0000E+00  -2.1530E-05   2.5321E-07  -1.4825E-09   2.9565E-12
17    0.0000E+00  -1.1754E-05   7.7444E-09  -3.3854E-10   2.4061E-12
18    0.0000E+00  -5.2848E-06  -2.2203E-09  -4.1404E-10   2.9839E-12
19    0.0000E+00  -1.3465E-05  -9.2480E-08  -3.7873E-10   7.7943E-14
20    0.0000E+00   2.1264E-05  -1.0214E-07  -3.0558E-10   1.0276E-12
23    0.0000E+00   1.7021E-06  -3.8818E-09  -1.2387E-10  -9.8300E-13
26    0.0000E+00  -5.1323E-06  -5.0683E-09  -1.9800E-11   1.7508E-13
【０１１３】
［表１８］
ズーム比             26.125
像高                 14.200
広角       中間       望遠
焦点距離             18.549     95.016    484.592
Fナンバー             3.605      5.550      6.489
半画角               38.845      8.104      1.727
光学全長            156.884    208.996    300.000
バックフォーカス     23.776     19.470     14.746
d7                    1.394     52.065     82.215
d15                  40.608     12.317      2.515
d18                   4.989      3.314      8.751
d23                   2.436      7.038      2.001
d26                   3.606     34.715    109.698
d30                  21.029     16.724     12.000
【０１１４】
［表１９］
群    始面     焦点距離  レンズ群構成長  レンズ群移動量
1     1       129.743        26.323       143.116
2     8       -18.484        19.183        62.295
3     17       42.968         5.202       100.388
4     19       33.558        14.644        96.627
5     24      -23.624         3.810        97.062
6     27       63.464         9.059        -9.029
【０１１５】
［表２０］
群    始面         広角       中間       望遠
1     1           0.000      0.000      0.000
2     8          -0.195     -0.418     -1.312
3     17         -1.449     -7.818     -3.515
4     19          0.271      0.084      0.161
5     24          3.092      3.951      6.732
6     27          0.606      0.675      0.749
【実施例５】
【０１１６】
（１）光学系の構成
図２１は、本件発明に係る実施例５のズームレンズの構成を示すレンズ断面図である。当該ズームレンズは、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、負の屈折力を有する第５レンズ群Ｇ５とから構成され、隣り合うレンズ群の間隔を変えることにより変倍を行うズームレンズである。
【０１１７】
実施例５のズームレンズにおいて、第４レンズ群が本件発明にいう第ｎレンズ群である。
【０１１８】
当該ズームレンズでは、広角端から望遠端への変倍時、第１レンズ群Ｇ１と第２レンズ群Ｇ２との間隔が広がり、第２レンズ群Ｇ２と第３レンズ群Ｇ３との間隔が狭まり、第３レンズ群Ｇ３と第４レンズ群Ｇ４との間隔が変化し、第４レンズ群Ｇ４と第５レンズ群Ｇ５との間隔が変化するように、各レンズ群が図２１に示す軌跡に従って移動する。また、図２１に示すように、当該ズームレンズにおいて最も像側に配置される第５レンズ群Ｇ５は、広角端から望遠端への変倍時物体側に移動する。
【０１１９】
当該ズームレンズでは、第４レンズ群Ｇ４をフォーカス群とし、第４レンズ群Ｇ４を光軸に沿って像側に移動させることで、無限遠から近接被写体に合焦する。さらに、当該ズームレンズでは第３レンズ群中央部のレンズが防振群であり、当該防振群を光軸と垂直方向に移動させることで、像を移動させて、いわゆる手振れ補正を行うことができる。
【０１２０】
なお、各レンズ群の具体的なレンズ構成は図２１に示すとおりである。
【０１２１】
（２）数値実施例
次に、当該ズームレンズの具体的数値を適用した数値実施例５について説明する。表２１に、当該ズームレンズのレンズデータを示す。表２２に、各非球面の非球面係数を示す。また、表２２に表示していない非球面係数は０．００である。表２３に、当該ズームレンズの各種データを示す。表２４に、各レンズ群の始面の面番号と、焦点距離と、レンズ群構成長と、レンズ群移動量とを示す。表２５に、各レンズ群の始面の面番号と、各変倍位置における横倍率を示す。また、表３１に条件式（１）〜条件式（４）の値と、当該値を算出するために用いた各値を示す。
【０１２２】
図２２〜図２４に、当該ズームレンズの広角端、中間焦点距離、望遠端における無限遠合焦時の縦収差図をそれぞれ示す。また、図２５に、当該ズームレンズの横収差図を示す。なお、図２５に向かって右側は、防振群を光軸と垂直な方向に０．２６２ｍｍ移動した防振補正時（防振角度０．３°）における横収差を示す。
【０１２３】
［表２１］
面番号           r         d          nd       vd
1          175.263     1.500      1.9229    20.88
2           87.888     3.694      1.6968    55.46
3         -223.207     0.200                     
4           40.850     2.833      1.4970    81.61
5           84.244        d5                     
6*          62.220     0.200      1.5146    49.96
7           64.924     0.700      1.8830    40.81
8           14.131     5.434                     
9          -28.138     0.742      1.8348    42.72
10          41.002     0.200                     
11          27.775     3.770      1.8467    23.78
12         -24.560     0.845                     
13         -17.374     0.800      1.8830    40.81
14         -44.859       d14                     
15S           ∞       1.000                     
16          15.474     5.703      1.4970    81.61
17         -12.662     0.700      1.9108    35.25
18         -43.732     0.500                     
19*         33.872     2.537      1.5533    71.68
20*        -54.435     0.800                     
21*         89.375     3.878      1.5920    67.02
22*        -16.044       d22                     
23         742.075     2.340      1.9037    31.31
24         -15.812     0.700      1.8042    46.50
25          12.817       d25                     
26         -12.958     0.700      1.9108    35.25
27         -19.715     0.200                     
28          40.495     2.132      1.4970    81.61
29            ∞         d29  
【０１２４】
［表２２］
面番号         k           A4           A6           A8          A10
6     0.0000E+00  -4.5350E-06   1.2018E-08  -6.1935E-11   1.3843E-12
19    0.0000E+00  -1.0271E-05  -5.3507E-07   1.8406E-08  -1.4103E-10
20    0.0000E+00   2.7092E-05  -1.1022E-06   2.9392E-08  -2.1381E-10
21    0.0000E+00  -9.7710E-05  -3.7605E-07  -2.8572E-09   2.0675E-10
22    0.0000E+00   2.2660E-05   2.5401E-07  -1.3560E-08   2.6458E-10
【０１２５】
［表２３］
ズーム比              5.610
像高                 13.323〜14.200
広角       中間       望遠
焦点距離             18.301     43.535    102.674
Fナンバー             4.080      5.350      5.660
半画角               39.191     17.680      7.605
光学全長             87.002    101.835    129.999
バックフォーカス     14.503     27.315     42.000
d5                    1.002     15.080     34.060
d14                  19.213      7.156      1.655
d22                   2.019      2.461      2.006
d25                   8.154      7.713      8.168
d29                  14.503     27.315     42.000
【０１２６】
［表２４］
群    始面     焦点距離  レンズ群構成長  レンズ群移動量
1     1        82.030         8.227        42.989
2     6       -15.025        12.691         9.932
3     16       13.661        14.119        27.489
4     23      -18.192         3.040        27.503
5     26      -97.508         3.032        27.489
【０１２７】
［表２５］
群    始面         広角       中間       望遠
1     1           0.000      0.000      0.000
2     6          -0.248     -0.323     -0.547
3     16         -0.343     -0.473     -0.511
4     23          2.191      2.611      3.037
5     26          1.197      1.330      1.478
【実施例６】
【０１２８】
（１）光学系の構成
図２６は、本件発明に係る実施例６のズームレンズの構成を示すレンズ断面図である。当該ズームレンズは、物体側より順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６とから構成され、隣り合うレンズ群の間隔を変えることにより変倍を行うズームレンズである。
【０１２９】
実施例６のズームレンズにおいて、第４レンズ群が本件発明にいう第ｎレンズ群である。
【０１３０】
当該ズームレンズでは、広角端から望遠端への変倍時、第１レンズ群Ｇ１と第２レンズ群Ｇ２との間隔が広がり、第２レンズ群Ｇ２と第３レンズ群Ｇ３との間隔が狭まり、第３レンズ群Ｇ３と第４レンズ群Ｇ４との間隔が変化し、第４レンズ群Ｇ４と第５レンズ群Ｇ５との間隔が広がり、第５レンズ群Ｇ５と第６レンズ群Ｇ６との間隔が広がるように、各レンズ群が図２６に示す軌跡に従って移動する。また、図２６に示すように、当該ズームレンズにおいて最も像側に配置される第６レンズ群Ｇ６は、変倍時像面に対して固定されている。
【０１３１】
当該ズームレンズでは、第４レンズ群Ｇ４をフォーカス群とし、第４レンズ群Ｇ４を光軸に沿って像側に移動させることで、無限遠から近接被写体に合焦する。さらに、当該ズームレンズでは第３レンズ群中央部のレンズが防振群であり、当該防振群を光軸と垂直方向に移動させることで、像を移動させて、いわゆる手振れ補正を行うことができる。
【０１３２】
なお、各レンズ群の具体的なレンズ構成は図２６に示すとおりである。
【０１３３】
（２）数値実施例
次に、当該ズームレンズの具体的数値を適用した数値実施例６について説明する。表２６に、当該ズームレンズのレンズデータを示す。表２７に、各非球面の非球面係数を示す。また、表２７に表示していない非球面係数は０．００である。表２８に、当該ズームレンズの各種データを示す。表２９に、各レンズ群の始面の面番号と、焦点距離と、レンズ群構成長と、レンズ群移動量とを示す。表３０に、各レンズ群の始面の面番号と、各変倍位置における横倍率を示す。また、表３１に条件式（１）〜条件式（４）の値と、当該値を算出するために用いた各値を示す。
【０１３４】
図２７〜図２９に、当該ズームレンズの広角端、中間焦点距離、望遠端における無限遠合焦時の縦収差図をそれぞれ示す。また、図３０に、当該ズームレンズの横収差図を示す。なお、図３０に向かって右側は、防振群を光軸と垂直な方向に０．２８３ｍｍ移動した防振補正時（防振角度０．３°）における横収差を示す。
【０１３５】
［表２６］
面番号           r         d          nd       vd
1           76.006     1.200      1.7234    37.99
2           47.514     7.175      1.4970    81.61
3         -286.573     0.200                     
4           48.410     3.027      1.4370    95.10
5           63.835        d5                     
6*         113.696     0.700      1.8820    37.22
7*          16.178     4.003                     
8          286.851     0.500      1.7725    49.62
9           18.160     0.200                     
10*         16.993     4.719      1.8211    24.06
11*       -124.551     1.519                     
12         -19.621     1.481      1.7618    26.61
13         -17.062     0.699      1.7725    49.62
14         -74.807       d14                     
15S           ∞       1.000                     
16          18.628     5.252      1.5673    42.84
17         -18.743     0.700      2.0010    29.13
18         -71.211     1.056                     
19*         25.708     5.146      1.4971    81.56
20         -14.813     0.700      1.7234    37.99
21         -22.462     0.800                     
22          33.075     0.700      1.7015    41.15
23           9.557     5.046      1.6226    58.16
24*        -81.185       d24                     
25        2725.209     2.306      1.8467    23.78
26         -18.980     0.400      1.7234    37.99
27          14.793       d27                     
28         -14.689     0.700      2.0010    29.13
29         -24.350       d29                     
30       -1360.101     3.376      1.9229    20.88
31         -50.417       d31                     
32            ∞       2.000      1.5168    64.20
33            ∞       1.000    
【０１３６】
［表２７］
面番号        k           A4           A6           A8          A10          A12
6    6.1135E+00   1.1385E-04  -6.4739E-07  -6.5579E-10   1.7746E-11  -4.8241E-14
7    8.1512E-01   8.6064E-05   1.0263E-08   6.3045E-09  -1.2007E-10   4.7000E-13
10  -1.0038E+00  -3.4280E-05   4.5216E-07   1.1403E-08  -1.9333E-10   6.0336E-13
11   6.4871E+00  -5.0379E-05  -1.0696E-07   1.2101E-08  -2.1359E-10   9.2297E-13
19   4.9832E-01  -4.3082E-05   6.9412E-09   1.1738E-09  -2.1635E-11   1.1215E-13
24  -7.0612E+00   5.0969E-05   1.7246E-07  -5.0090E-09   1.0987E-10  -7.6046E-13
【０１３７】
［表２８］
ズーム比             10.443
像高                 13.364〜14.200
広角       中間       望遠
焦点距離             18.554     55.051    193.767
Fナンバー             3.600      5.075      6.450
半画角               38.673     13.734      4.106
光学全長             97.735    117.599    180.000
バックフォーカス     13.815     13.815     13.815
d5                    1.000     24.953     62.077
d14                  20.166      3.300      1.500
d24                   1.497      5.429      1.496
d27                   6.966      8.062     14.282
d29                   1.000      8.749     33.540
d31                  11.500     11.500     11.500
【０１３８】
［表２９］
群    始面     焦点距離  レンズ群構成長  レンズ群移動量
1     1       113.629        11.602        82.265
2     6       -15.324        13.821        21.189
3     16       15.651        19.400        39.855
4     25      -23.807         2.706        39.856
5     28      -38.379         0.700        32.540
6     30       56.664         3.376         0.000
【０１３９】
［表３０］
群    始面         広角       中間       望遠
1     1           0.000      0.000      0.000
2     6          -0.175     -0.241     -0.577
3     16         -0.424     -0.743     -0.641
4     25          1.853      2.020      2.520
5     28          1.571      1.780      2.417
6     30          0.757      0.755      0.758
【０１４０】
［表３１］
実施例1   実施例2   実施例3   実施例4   実施例5   実施例6
条件式(1)(n=4)   18.138    22.077    21.641    24.765    17.964    17.959
(n=5)   17.873    22.280    21.937    24.863     1.184     2.782
条件式(2)         5.609     6.021     6.341     6.732     3.037     2.520
条件式(3)         0.426     0.334     0.401     0.354     0.420     0.397
条件式(4)         0.251     0.207     0.240     0.249     2.249     0.640
b4ft              0.132     0.191     0.195     0.161     3.037     2.520
b4bt              4.296     4.787     4.743     5.042     1.478     1.832
b5ft              5.609     6.021     6.341     6.732     1.478     2.417
b5bt              0.766     0.795     0.748     0.749     1.000     0.758
|bmt|    (m=4)    0.132     0.191     0.195     0.161     3.037     2.520
(m=5)    5.609     6.021     6.341     6.732     1.478     2.417
|f4|             29.720    24.518    34.008    33.558    18.192    23.807
fw               18.566    18.558    18.556    18.549    18.301    18.554
ft              261.733   290.760   387.712   484.592   102.674   193.767
|f5|             17.520    15.191    20.323    23.624    97.508    38.379
【産業上の利用可能性】
【０１４１】
本件発明によれば、高い光学性能を維持しつつ、従来よりも小型のズームレンズ及び当該ズームレンズを備えた撮像装置を提供することができる。
【符号の説明】
【０１４２】
Ｇ１・・・第１レンズ群
Ｇ２・・・第２レンズ群
Ｇ３・・・第３レンズ群
Ｇ４・・・第４レンズ群
Ｇ５・・・第５レンズ群
Ｇ６・・・第６レンズ群
Ｆ  ・・・フォーカス群
ＶＣ・・・防振群
Ｓ  ・・・開口絞り
Ｉ  ・・・像面
ＣＧ・・・カバーガラス
【図１】
2020122822.tif 000003
【図２】
2020122822.tif 000004
【図３】
2020122822.tif 000005
【図４】
2020122822.tif 000006
【図５】
2020122822.tif 000007
【図６】
2020122822.tif 000008
【図７】
2020122822.tif 000009
【図８】
2020122822.tif 000010
【図９】
2020122822.tif 000011
【図１０】
2020122822.tif 000012
【図１１】
2020122822.tif 000013
【図１２】
2020122822.tif 000014
【図１３】
2020122822.tif 000015
【図１４】
2020122822.tif 000016
【図１５】
2020122822.tif 000017
【図１６】
2020122822.tif 000018
【図１７】
2020122822.tif 000019
【図１８】
2020122822.tif 000020
【図１９】
2020122822.tif 000021
【図２０】
2020122822.tif 000022
【図２１】
2020122822.tif 000023
【図２２】
2020122822.tif 000024
【図２３】
2020122822.tif 000025
【図２４】
2020122822.tif 000026
【図２５】
2020122822.tif 000027
【図２６】
2020122822.tif 000028
【図２７】
2020122822.tif 000029
【図２８】
2020122822.tif 000030
【図２９】
2020122822.tif 000031
【図３０】
2020122822.tif 000032
【図３１】
2020122822.tif 000033